(57)【要約】【課題】多数のキーを用いることなく、またキーの押し間違いを懸念することなく、電子デバイスでのユーザの個人認証を可能にする。【解決手段】情報処理装置のキーボードやタッチパネルから特定のリズムパターンを入力して、これをあらかじめ記憶装置に記憶された規定パターンと比較し、一致または類似パターンと判定されたときに当該ユーザの認証を成立させるようにした。【選択図】図１
2012014401.tif 000002
【特許請求の範囲】
【請求項１】
入力部を備えた情報処理装置からなる検索装置において、
前記入力部への押圧状態または離反状態を検出する検出部と、
前記検出部での単位クロック時間における押圧状態と離反状態との繰り返しパターンを、あらかじめ記憶装置に記憶された規定パターンと比較するパターンマッチング部と、
前記パターンマッチング部において一致または類似パターンと判定されたときに当該ユーザの認証を成立させるリズム認証装置。
【請求項２】
前記に加えてインジケータ表示部とこのインジケータ表示部を制御する表示制御部とを有しており、
前記表示制御部は、前記インジケータ表示部に対して、前記単位クロック時間と、その単位クロック時間における押圧時間と離反時間との長さを可視的に表示することを特徴とする請求項１に記載のリズム認証装置。
【請求項３】
前記インジケータ表示部は、押圧時間と離反時間とを経時的に伸張表示するとともに、押圧時間または離反時間の終了とともに前記伸張表示を動的にリセットする第１の表示部と、
一次元方向に配列された複数のセル領域に、押圧状態か離反状態かを示す着色状態を経時的に累積表示していく第２の表示部とからなる請求項２に記載のリズム認証装置。
【請求項４】
前記第１の表示部は、単位クロック時間を等間隔に分割するとともに、押圧状態と離反状態との切り換えの目安となる分割目盛線を有しており、
前記検出部は当該分割目盛線の前後の所定範囲内で押圧状態と離反状態との切り換えを検出したときには、当該切り換えは分割目盛線が設定された時間でなされたものと補正することを特徴とする請求項３に記載のリズム認証装置。
【発明の詳細な説明】
【技術分野】
【０００１】
本発明は、情報処理装置による認証を入力されるリズムパターンで行う技術に関する。
【背景技術】
【０００２】
パーソナルコンピュータやPDA(Personal Data Assistant)等の個人認証技術としては、特開平１０−２８３３２１号（特許文献１）が知られている。
【０００３】
この個人認証技術は、キーボードのキー群を構成する各キーにランダムに音程が割り振っておき、ユーザは所望のメロディに対応するようにパスワードを決めておき、パスワードをメロディに合せて暗記しておくものであった。そしてユーザがパスワードをキー入力すると、それに対応するメロディがスピーカから出力される。ユーザは、そのメロディを聞いてキー入力が正しかったか否か判断する。このとき、キー群には同じ音程を割り振られたキーが複数存在し、それにより、他人はメロディだけを聴いてもパスワードを盗用できない点が特徴である。
【先行技術文献】
【特許文献】
【０００４】
【特許文献１】特開平１０−２８３３２１号公報
【発明の概要】
【発明が解決しようとする課題】
【０００５】
しかし、特許文献１に示された認証方式では、認証操作を行う際に、キーボード上で音程毎のキーを正確に押さなければならず、メロディの入力という第三者に聴取され易い操作を行う必要があった。この点について、特許文献１では、キー群に同じ音程を割り振ったキーを複数用意しているとのことであるが、とはいっても汎用のパーソナルコンピュータにおけるキーの数は限られているため、当該メロティーを聴取した第三者がなりすまして、聴取したメロディが割り当てられたキーを打鍵して認証解除を試みた場合、複数回の試行を繰り返すうちに認証が成功し解除されてしまう可能性もあった。本発明はこのような点に鑑みてなされたものであり、多数のキーを用いることなく、またキーの押し間違いを懸念することなく、ユーザの個人認証が可能な技術を実現することを技術的課題とする。
【課題を解決するための手段】
【０００６】
前記課題を解決するために、本発明では、以下の手段を採用した。
【０００７】
本発明の請求項１は、入力部を備えた情報処理装置からなる検索装置において、前記入力部への押圧状態または離反状態を検出する検出部と、前記検出部での単位クロック時間における押圧状態と離反状態との繰り返しパターンを、あらかじめ記憶装置に記憶された規定パターンと比較するパターンマッチング部と、前記パターンマッチング部において一致または類似パターンと判定されたときに当該ユーザの認証を成立させるリズム認証装置である。
【０００８】
これによれば、メロディ入力のような複数のキーを押すことなく、場合によっては単一のキーまたはタッチ面からなる入力部への押圧・離反動作のみで認証が可能となる。
【０００９】
本発明の請求項２は、前記に加えてインジケータ表示部とこのインジケータ表示部を制御する表示制御部とを有しており、表示制御部は、前記インジケータ表示部に対して、前
記単位クロック時間と、その単位クロック時間における押圧時間と離反時間との長さを可視的に表示することを特徴とする請求項１記載のリズム認証装置である。
【００１０】
これによれば、ユーザはインジケータ表示部を参照しながら入力部からリズムパターンを入力することができるため、パターンの入力ミスを防止してパターンの入力精度を高めることができる。
【００１１】
本発明の請求項３は、前記インジケータ表示部は、押圧時間と離反時間とを経時的に伸張表示するとともに、押圧時間または離反時間の終了とともに前記伸張表示を動的にリセットする第１の表示部と、一次元方向に配列された複数のセル領域に、押圧状態か離反状態かを示す着色状態を経時的に累積表示していく第２の表示部とからなる請求項２記載のリズム認証装置である。
【００１２】
これによれば、第１の表示部により押圧状態と離反状態との切り換えタイミングを可視的に認識でき、第２の表示部により入力されたパターンを可視的に認識できるため、パターンの入力ミスをより一層防止してパターンの入力精度を高めることができる。
【００１３】
本発明の請求項４は、前記第１の表示部は、単位クロック時間を等間隔に分割するとともに、押圧状態と離反状態との切り換えの目安となる分割目盛線を有しており、前記検出部は当該分割目盛線の前後の所定範囲内で押圧状態と離反状態との切り換えを検出したときには、当該切り換えは分割目盛線が設定された時間でなされたものと補正することを特徴とする請求項３記載のリズム認識パターン検索装置である。
【００１４】
これによれば、リズムパターンの入力の際に、不慣れに起因して押圧状態と離反状態との切り換えに多少のタイミングのずれがあった場合でも、正確なリズムパターンの入力が可能となる。
【発明の効果】
【００１５】
本発明によれば、パーソナルコンピュータやＰＤＡ等のロック状態を解除するための個人認証に際して、ユーザにとって多数のキーを押す煩わしさや、キーの押し間違いを懸念させることなく、ユーザの個人認証が可能となる。
【図面の簡単な説明】
【００１６】
【図１】本発明の実施形態である情報処理装置のシステム構成を外観図
【図２】実施形態の情報処理装置の内部構成図
【図３】実施形態を説明するためのインジケータ表示部の説明図
【図４】実施形態の処理手順を示す図（１）
【図５】実施形態の処理手順を示す図（２）
【図６】実施形態の規定パターン情報を示す図
【発明を実施するための形態】
【００１７】
以下、本発明の最良の実施形態を図面を用いて説明する。
【００１８】
この実施形態では、個人認証機能を備えた情報処理装置として携帯端末（携帯電話端末）を用いた場合で説明するが、これらに限定されるものでなく、パーソナルコンピュータや屋内に設置される情報提供端末等であってもよいことは勿論である。
【００１９】
図１は、携帯端末の外観図である。
【００２０】
この携帯端末は、iPhone（アイホン社から許諾を受けたアップル社の商標）、Android
（米国グーグル社の商標）等のスマートホン、i-mode（ＮＴＴドコモ社の商標）等のネット接続可能な携帯電話端末等である。
【００２１】
本実施形態において当該携帯端末における個人認証の特徴は、ユーザの耳で認識している鳥等の鳴き声をリズムとしてとらえてこのリズムパターンをタッチパネルディスプレイ（ＴＤＳＰ）からタッチ入力することでロック状態を解除する等の個人認証を成立させる処理を実現した点にある。
【００２２】
実施形態での携帯端末（認証装置）は、同図に示すように、中央処理装置（ＣＰＵ）を中心に、バス（ＢＵＳ）で接続されたメインメモリ（ＭＭ）、タッチパネルディスプレイ（ＴＤＳＰ）、アプリケーションメモリ（ＡＰＭ）等、通信インターフェース（Ｉ／Ｏ）、スピーカー（図示省略）等を有している。
【００２３】
なお、入力手段としては、上記の他に、図示しないマウス等の補助入力手段を備えていてもよい。
【００２４】
アプリケーションメモリ（ＡＰＭ）には、オペレーティングシステム（ＯＳ）とともに、アプリケーションプログラム（ＡＰＬ）が格納されている。このアプリケーションプログラム（ＡＰＬ）は、当該装置のロック状態を解除するための認証アプリケーションプログラムであり、このアプリケーションプログラム（ＡＰＬ）がバス（ＢＵＳ）およびメインメモリ（ＭＭ）に読み込まれて中央処理装置（ＣＰＵ）で順次実行処理されることによって、本実施形態の機能が実現される。
【００２５】
また、アプリケーションメモリ（ＡＰＬ）には、図６に示すような規定パターン情報が登録されている。この規定パターン情報は、鳥や動物の鳴き声からリズムパターンだけを抽出してインデックス化したリズムパターンデータベースが登録されている。タッチパネルから入力されたリズムパターンは規定パターン情報と比較されて規定パターンと一致するか類似するかが判定プログラムによって判定する。
【００２６】
次に、図６の規定パターンについて説明する。
【００２７】
規定パターンは、アプリケーションメモリ（ＡＰＭ）に登録されている。
【００２８】
同図の左側の図では、数字は指またはタッチペンでタッチパネルディスプレイ（ＴＤＳＰ）を押している時間を表し、括弧付数字は指またはタッチペンまたはタッチパネルディスプレイ（ＴＤＳＰ）から離されている時間を表している。
【００２９】
パターン１（Ｐ１）は、「３クロック分タッチパネルが押された→２クロック分タッチパネルから指が離された→２クロック分タッチパネルが押された→２クロック分タッチパネルから指が離された→１クロック分タッチパネルが押された」ことを意味している。
【００３０】
パターン２（Ｐ２）は、「１クロック分タッチパネルが押された→１クロック分タッチパネルから指が離された→２クロック分タッチパネルが押された」ことを意味している。
【００３１】
パターン３（Ｐ３）は、「１クロック分タッチパネルが押された→２クロック分タッチパネルから指が離された→１クロック分タッチパネルが押された→２クロック分タッチパネルから指が離された→１クロック分タッチパネルが押された→２クロック分タッチパネルから指が離された→１クロック分タッチパネルが押された」ことを意味する。
【００３２】
そして指先またはタッチペンでタッチパネルに対して行った押圧・離反動作のリズムパ
ターンがこのような規定パターン（Ｐ１〜Ｐ３）と一致するかまたは類似するかを中央処理装置（ＣＰＵ）が検出することになる。
【００３３】
ユーザによるリズムパターンの入力の際には、図３に示すようなタッチパネルディスプレイに表示されるインジケータ表示部を参照することによって、可視的に確認することが可能である。
【００３４】
図３のインジケータ表示部について説明する。
【００３５】
このインジケータ表示部は、指先またはタッチペンによるタッチパネルディスプレ（ＴＤＳＰ）への押圧時間と離反時間とを経時的に伸張表示する第１インジケータと、横方向に配列された複数のセル領域に、押圧状態か離反状態かを示す着色状態を経時的に累積表示していく第２インジケータとを有している。
【００３６】
第１インジケータは、タッチパネルディスプレイ（ＴＤＳＰ）を指先またはタッチペンで押圧している間、および離反させている間、動的にグラフ表示が伸張するようになっている。同図において、「１」で示された範囲が第１クロック時間、同様に「２」で示された範囲が第２クロック時間、「３」で示された範囲が第３クロック時間となっており、それぞれの境界部分には押圧状態と離反状態との切り換えの目安となる分割目盛線が設けられている。
【００３７】
ユーザは、指先またはタッチペンでタッチパネルディスプレイ（ＴＤＳＰ）の押圧を開始して、伸張していくグラフ表示を観察しながら第１クロック時間と第２クロック時間との境界部分で離反させると１クロック分の押圧状態の入力が可能となる。その後、離反状態に切り替わり、今度は離反状態が開始されて伸張していくグラフ表示を観察しながら第１クロック時間と第２クロック時間との境界部分で押圧（タッチ）すると２クロック分の離反状態の入力が可能となる。
【００３８】
同様に、押圧状態を開始して、第２クロック時間と第３クロック時間との境界部分で離反動作を行えば２クロック分の押圧状態の入力が可能となる。
【００３９】
また、離反状態を開始して、第２クロック時間と第３クロック時間との境界部分で押圧動作を行えば２クロック分の離反状態の入力が可能となる。
【００４０】
同様に、押圧状態を開始して、第３クロック時間の終了部分で離反動作を行えば３クロック分の押圧状態の入力が可能となる。
【００４１】
また、離反状態を開始して、第３クロック時間と終了部分で押圧動作を行えば３クロック分の離反状態の入力が可能となる。
【００４２】
なお、第１クロック時間、第２クロック時間、第３クロック時間の境界部分で正確に指先またはタッチペンをタッチパネルディスプレイ（ＴＤＳＰ）から離反または押圧することは難しいため中央処理装置（ＣＰＵ）は、前記分割目盛線のを越えた範囲で押圧状態と離反状態との切り換えを検出したときには、当該切り換えは分割目盛線が設定された時間でなされたものと補正してもよい。
【００４３】
このように、中央処理装置（ＣＰＵ）は、基準クロックに基づいて、何クロック分の押圧状態または離反状態が続いたかによってリズムパターンを検出するようになっている。
【００４４】
次に、ユーザによって入力されたリズムパターンが規定パターンと一致するか否かにつ
いて中央処理装置（ＣＰＵ）の処理手順を図４および図５を用いて説明する。
【００４５】
まず、タッチ入力モードが開始（ステップ４０１）されると、指先かタッチペンによってタッチパネルディスプレイ（ＴＤＳＰ）が押されているか否かを判定する（ステップ４０２）。
【００４６】
次に、押圧しているクロック時間と離反した状態でのクロック時間（音符処理ステップ４０３と休符処理ステップ４０４）とを検出して、リズムパターンの検出を行う。
【００４７】
ここで、中央処理装置は、規定パターンの長さを越えたパターンが入力されたとき（ステップ４０６）、または規定パターンに無いパターンが入力されたとき（具体的には、「２クロック時間押圧→１クロック時間離反」のように規定パターンにありえないパターンが入力された場合）にはエラー判定を行う（ステップ４０７）。
【００４８】
このようにして入力されたリズムパターンが、規定パターンと一致するか否かを判定（ステップ４０９）して、パターン判定処理を終了する（ステップ４１０）。
【００４９】
図５はステップ４０９のパターン判定処理の詳細手順を示したものである。このパターン判定処理では、まず処理が開始されると（ステップ５０１）、入力されたリズムパターンが規定パターンテーブルにあるか否かを判定する（ステップ５０２）。ここで、規定パターンと一致した場合には該当処理（ステップ５０３）を実行する。この該当処理とは、たとえば規定パターンに対応する鳴き声の鳥を特定して、当該鳥の鳴き声の音声データをアプリケーションメモリ（ＡＰＭ）から読み出して図示しないスピーカから出力するとともに、当該装置の認証が成立したものとして、ロック状態を解除する。このとき、このリズムパターンに対応した鳥の画像をタッチパネルディスプレイ（ＴＤＳＰ）に表示してもよい。
【００５０】
一方、ステップ５０２において、入力されたリズムパターンが規定パターンに無い場合には、エラー処理（ステップ５０４）を行う。
【００５１】
このエラー処理とは、たとえばタッチパネルディスプレイ（ＴＤＳＰ）に「認証されません」というような表示を行ったり、「ブッブー」というようなブザー音を図示しないスピーカから出力することを意味する。
【００５２】
以上の説明では、認証のためのリズムパターンを身近な鳥の鳴き声で置き換えて入力する技術で説明したが、本発明はこれに限定されるものではなく、いかなるリズムパターンであってもよい。たとえば、ユーザが好きな楽曲のドラムやリズムギター等のリズムパターンをあらかじめ登録しておき、これと一致するリズムパターンの入力があった場合だけ認証を成立させるようにしてもよい。
【００５３】
また、実施形態では入力部としてタッチパネルディスプレイを用いた場合で説明したが、リズムパターンの入力は別途設けられた（接続された）キーボードの特定キーまたは任意の単一キーを押圧・離反させることで行ってもよい。このような場合でも複数のキーを押すメロディ入力のようにキーを押し間違える懸念がない。
【産業上の利用可能性】
【００５４】
本発明は、パーソナルコンピュータ、PDA、携帯電話端末、電子辞書等のあらゆる認証
解除を必要とする電子機器に利用可能である。
【符号の説明】
【００５５】
ＣＰＵ  中央処理装置
ＭＭ  メインメモリ
ＢＵＳ  バス
ＴＤＳＰ  タッチパネルディスプレイ
ＡＰＭ  アプリケーションメモリ
ＯＳ  オペレーティングシステム
ＡＰＬ  アプリケーションプログラム
Ｉ／Ｏ  インターフェース
【図１】
2012014401.tif 000003
【図２】
2012014401.tif 000004
【図３】
2012014401.tif 000005
【図４】
2012014401.tif 000006
【図５】
2012014401.tif 000007
【図６】
2012014401.tif 000008